(57)【要約】【課題】車載デジタル放送受信装置が、車両の主電源がオンの状態において、番組コンテンツの視聴の邪魔にならないよう、付加データを受信できるようにする。【解決手段】車載デジタル放送受信装置が、車両のＡＣＣがオンであり、かつディスプレイに地上デジタルＴＶ放送局が現在放送している番組を表示されておらず（ステップ１０５参照）、かつ車両が走行しているときに（ステップ１０８参照）、番組表、新バージョンプログラム、放送局ロゴマーク等の付加データを放送電波からダウンロードする（ステップ１１０〜１７５参照）。【選択図】 図３
2006340291.tif 000002
【特許請求の範囲】
【請求項１】
デジタル放送電波に含まれる番組コンテンツを受信して表示装置（３、４）に表示するための制御を行う番組コンテンツ受信表示制御手段（２１、２２、２３）と、
車両の主電源から電力供給を受けているときに、前記番組コンテンツ受信表示制御手段が機能を果たしていない状態であることに基づいて、番組コンテンツと異なる付加データを受信および蓄積する付加データ受信蓄積手段（２４）と、を備えた車載デジタル放送受信装置。
【請求項２】
前記付加データ受信蓄積手段は、車両が走行していることに起因して前記番組コンテンツ受信表示制御手段の機能が阻害されていることに基づいて、番組コンテンツと異なる付加データを受信および蓄積することを特徴とする請求項１に記載の車載デジタル放送受信装置。
【請求項３】
前記付加データ受信蓄積手段は、前記表示装置に前記番組コンテンツ受信表示制御手段によるものでない表示が行われていることに起因して前記番組コンテンツ受信表示制御手段の機能が阻害されていることに基づいて、番組コンテンツと異なる付加データを受信および蓄積することを特徴とする請求項１または２に記載の車載デジタル放送受信装置。
【請求項４】
車両の主電源から電力供給を受けているときに、デジタル放送電波に含まれる番組コンテンツを受信して表示装置（３、４）に表示するための制御を行うコンテンツ受信表示制御手段（２１、２２、２３）が機能を果たしていない状態であることを検出する機能、および、
前記検出する機能による検出があったことに基づいて、番組コンテンツと異なる付加データを受信および蓄積する機能を、コンピュータに実現させるプログラム。
【発明の詳細な説明】
【技術分野】
【０００１】
本発明は、車載デジタル放送受信装置および車載デジタル放送受信装置用のプログラムに関する。
【背景技術】
【０００２】
従来、地上デジタル放送等のデジタル放送を受信する装置においては、新バージョンプログラムや番組表データ等の、番組コンテンツとは異なる付加データの受信および蓄積を、番組コンテンツの視聴の邪魔にならないよう、待機電源供給状態において行う技術があった。
【０００３】
また、デジタル放送の受信装置が車両に搭載される場合を想定した技術として、車両の主電源オフ時においても、２次電池から待機電力供給を受けることで、付加データをダウンロードすることのできる車載デジタル放送受信装置の技術が、特許文献１および特許文献２に開示されている。
【特許文献１】特開２００２―３６９０９９号公報
【特許文献２】特開２００４−３３６６３３号公報
【発明の開示】
【発明が解決しようとする課題】
【０００４】
しかし、上記特許文献１、２のような技術では、車両の主電源のオフ中にしかダウンロードを行わないことによる不都合が発生する場合がある。例えば、車両主電源オフ時における電源を確保する必要がある。また、車両の主電源がオフになった位置が駐車場内等の放送電波受信不能域である場合、受信装置は長時間付加データを受信できない。また、デジタル放送受信装置が車両に搭載される場合は、車両の移動による受信エリアの変更に伴い、現在の受信エリアにおける受信可能チャネルの情報を、付加データとしてダウンロードしたいという場面も想定される。
【０００５】
このようなことから、車載デジタル放送受信装置は、車両の主電源がオンとなる走行可能な状態においても、付加データを受信できるようになっていることが望ましい。
【０００６】
本発明は上記点に鑑み、車載デジタル放送受信装置が、車両の主電源がオンの状態において、番組コンテンツの視聴の邪魔にならないよう、付加データを受信できるようにすることを目的とする。
【課題を解決するための手段】
【０００７】
上記目的を達成するための請求項１に記載の発明は、デジタル放送電波に含まれる番組コンテンツを受信して表示装置（３、４）に表示するための制御を行う番組コンテンツ受信表示制御手段（２１、２２、２３）と、車両の主電源から電力供給を受けているときに、前記番組コンテンツ受信表示制御手段が機能を果たしていない状態であることに基づいて、番組コンテンツと異なる付加データを受信および蓄積する付加データ受信蓄積手段（２４）と、を備えた車載デジタル放送受信装置である。
【０００８】
このように、車載デジタル放送受信装置が、車両の主電源から電力供給を受けているときに、番組コンテンツを受信して表示制御を行う機能が果たされていない状態であることに基づいて、付加データをダウンロードすることで、車両の主電源がオンの状態において、番組コンテンツの視聴の邪魔にならないよう、付加データを受信することができる。
【０００９】
また、請求項２に記載の発明は、請求項１に記載の車載デジタル放送受信装置において、前記付加データ受信蓄積手段は、車両が走行していることに起因して前記番組コンテンツ受信表示制御手段の機能が阻害されていることに基づいて、番組コンテンツと異なる付加データを受信および蓄積することを特徴とする。
【００１０】
このように、車両が走行していることに起因して番組コンテンツの受信表示制御機能が阻害されているタイミングを積極的に用いることで、番組コンテンツの視聴の邪魔にならないよう、付加データを受信することができる。
【００１１】
また、請求項３に記載の発明は、請求項１または２に記載の車載デジタル放送受信装置において、前記付加データ受信蓄積手段は、前記表示装置に前記番組コンテンツ受信表示制御手段によるものでない表示が行われていることに起因して前記番組コンテンツ受信表示制御手段の機能が阻害されていることに基づいて、番組コンテンツと異なる付加データを受信および蓄積することを特徴とする。
【００１２】
このように、表示装置に番組コンテンツ受信表示制御によるものでない表示が行われていることに起因して番組コンテンツの受信表示制御機能が阻害されているタイミングを積極的に用いることで、番組コンテンツの視聴の邪魔にならないよう、付加データを受信することができる。
【００１３】
また、請求項４に記載の発明は、車両の主電源から電力供給を受けているときに、デジタル放送電波に含まれる番組コンテンツを受信して表示装置（３、４）に表示するための制御を行うコンテンツ受信表示制御手段（２１、２２、２３）が機能を果たしていない状態であることを検出する機能、および、前記検出する機能による検出があったことに基づいて、番組コンテンツと異なる付加データを受信および蓄積する機能を、コンピュータに実現させるプログラムである。
【００１４】
このように、請求項１に記載の発明は、プログラムとしても捉えることができる。
【発明を実施するための最良の形態】
【００１５】
以下、本発明の一実施形態について説明する。図１に、本実施形態に係る車載複合システム１ならびに車載複合システム１と接続されるモード切替スイッチ２、ディスプレイ３、スピーカ４、および車両信号検出部５を示す。以下詳述する通り、車載複合システム１は、車両のＡＣＣがオンであり、かつディスプレイ３に地上デジタルＴＶ放送局が現在放送している番組を表示されておらず、かつ車両が走行しているときに、番組表、新バージョンプログラム、放送局ロゴマーク等の付加データを放送電波からダウンロードするようになっている。
【００１６】
モード切替スイッチ２は、タッチパネルやメカニカルスイッチ等から成り、ユーザの操作を受けることで、システムモードの切り替えのための信号を車載複合システム１に出力する。ディスプレイ３は、車載複合システム１から受けた映像信号に基づく映像を表示する。スピーカ４は、車載複合システム１から受けた音声信号に基づく音声を出力する。車両信号検出部５は、車両のＩＧのオン・オフ信号、ＡＣＣのオン・オフ信号、エンジンのスタート・ストップ信号、車速パルス信号等の、車両の情報に関する信号を車載複合システム１に出力する。
【００１７】
車載複合システム１は、システムコントロール部１１、デジタルＴＶ受信部１２（車載デジタル放送受信装置の一例に相当する）、オーディオヘッドユニット部１３、カーナビゲーション部１４、およびアンテナ１５を有している。この車載複合システム１は、車両のＡＣＣがオンである間、車両の図示しないメインバッテリから電力供給を受けて作動するようになっている。
【００１８】
システムコントロール部１１は、モード切替スイッチ２からのシステムモードの切り替えのための信号に基づいて、デジタルＴＶ受信部１２、オーディオヘッドユニット部１３、カーナビゲーション部１４のうち１つを選び、その選んだ対象から受けた映像信号および音声信号を、それぞれディスプレイ３およびスピーカ４に出力する。またシステムコントロール部１１は、モード切替スイッチ２および車両信号検出部５から受けた信号に基づくデータを、デジタルＴＶ受信部１２、オーディオヘッドユニット部１３、およびカーナビゲーション部１４に出力する。またシステムコントロール部１１は、デジタルＴＶ受信部１２、オーディオヘッドユニット部１３、カーナビゲーション部１４間のデータの受け渡しを媒介する。例えば、カーナビゲーション部１４からデジタルＴＶ受信部１２宛のデータを受けると、そのデータをデジタルＴＶ受信部１２に出力する。
【００１９】
ただし、システムコントロール部１１は、車両信号検出部５からの車速パルス信号に基づいて、自車両が走行していること（すなわち車速が実質的にゼロより大きいこと）を検出すると、ディスプレイ３およびスピーカ４に出力する映像信号および音声信号のソースとして、デジタルＴＶ受信部１２を選択できなくなる。または、選択できても、デジタルＴＶ受信部１２が受けた映像データはディスプレイ３に出力できないようになる。このような、車両の走行によりデジタルＴＶ受信部１２からの映像をディスプレイ３に表示させることができない状態を、走行規制がかかっている状態という。なお、助手席や後席の乗員が走行中にＴＶを視聴するために、このような図示しない入力装置にユーザが所定の入力を行うことで、このような走行規制が解除されるようになっていてもよい。
【００２０】
なお、システムコントロール部１１は、以上のような機能を実現するプログラムを実行する汎用のマイコンとして実現されていてもよいし、以上のような機能を実現する回路構成を有するハードウェア（例えばＦＰＧＡ等の回路構成がプログラム可能な回路）として実現されていてもよい。
【００２１】
デジタルＴＶ受信部１２は、アンテナ１５が受けた地上デジタルＴＶ放送の電波から、番組コンテンツの映像データおよび音声データを取り出し、その映像データに基づく音声信号および音声データに基づく音声信号をシステムコントロール部１１に出力する。またデジタルＴＶ受信部１２は、アンテナ１５が受けた地上デジタルＴＶ放送の電波から、番組表データ、最新バージョンプログラム、放送局ロゴマーク等の付加データを記憶媒体に蓄積する。このデジタルＴＶ受信部１２の構成および作動の詳細については後述する。
【００２２】
オーディオヘッドユニット部１３は、システムコントロール部１１から、モード切替スイッチ２の操作によってオーディオヘッドユニット部１３が選択されている旨の情報を受けると、ＣＤプレーヤやＭＤプレーヤ等のオーディオ機器による音楽の再生を制御し、そのオーディオ機器の出力した音声信号をシステムコントロール部１１に出力する。またオーディオヘッドユニット部１３は、システムコントロール部１１から、モード切替スイッチ２の操作によってオーディオヘッドユニット部１３が選択されていない旨の情報を受けると、再生を停止する。
【００２３】
カーナビゲーション部１４は、カーナビゲーション制御部４１、ＧＰＳ受信機等から成る自車位置検出部４２、地図情報記憶部４３を有している。カーナビゲーション制御部４１は、自車位置検出部４２から受けた自車両の現在位置情報に基づいて、現在位置付近の地図を地図情報記憶部４３から読み出して、映像信号としてシステムコントロール部１１に出力する。またカーナビゲーション部１４は、図示しない入力装置等からユーザの目的地設定を受け付けると、現在位置から目的地までの最適な誘導経路を算出し、その算出した誘導経路と地図とを重ねた映像信号、および誘導経路までの案内の音声信号を、システムコントロール部１１に出力する。
【００２４】
また、地図情報記憶部４３中の地図においては、その地図が含む地域が複数区域に区分けされている。この区分けは、異なる区域では、受信可能な地上デジタル放送局群が異なり、同じ区域内では、受信可能な地上デジタル放送局群が同じであるような区分けである。以下、この区分けによって区切られた区域を、それぞれ同一放送局エリアという。カーナビゲーション部１４は、自車両の現在位置が、ある同一放送局エリアから別の同一放送局エリアに入ると、その旨のデータを、デジタルＴＶ受信部１２を宛先とするデータとして、システムコントロール部１１に出力する。
【００２５】
ここで、デジタルＴＶ受信部１２の詳細な構成について説明する。デジタルＴＶ受信部１２は、チューナ部２１、ＴＳ（Transport Stream）復調部２２、映像／音声出力部２３、デジタルＴＶ受信制御部２４、およびメモリ部２５を有している。
【００２６】
チューナ部２１は、図示しない入力装置に対するユーザのチャネル選択操作等に基づいて、地上デジタルＴＶ方向の受信チャネルを１つ選択し、その選択したチャネルのデータを、アンテナ１５が受けた放送電波の信号から取り出し、その取り出したデータをＴＳ復調部２２に出力する。
【００２７】
ＴＳ復調部２２は、チューナ部２１から受けた特定のチャネルのデータから、通常の番組の視聴においてディスプレイ３やスピーカ４に出力される映像や音声のためのＭＰＥＧデータ（番組コンテンツに相当する）および付加データのうちいずれか一方または両方を取り出す。そして、取り出したＭＰＥＧデータは映像／音声出力部２３に出力し、取り出した付加データはデジタルＴＶ受信制御部２４に出力する。
【００２８】
なお、付加データには、番組コンテンツと共に取り出すことができるものと、できないものがある。例えば、後述するダウンロード可能な付加データを特定するダウンロード告知情報は、できるだけ多くのチャネルに含まれるように運用されているため、番組コンテンツと共に取り出すことができる可能性が高い。しかし、新たなプログラムのデータや、視聴中でないチャネルの番組表などは、告知情報のように各チャネルに含まれているわけではなく、視聴中のチャネルに含まれていなかった場合には、コンテンツを取り出すことができない。このような付加データは、現在放送されている番組の視聴に影響を及ぼすことなく受信・蓄積ができない可能性の高い付加データである。
【００２９】
映像／音声出力部２３は、ＴＳ復調部２２から受けたＭＰＥＧデータに必要なデコード処理を行い、その結果得た映像信号および音声信号をシステムコントロール部１１に出力する。
【００３０】
デジタルＴＶ受信制御部２４は、ＴＳ復調部２２から受けた付加データを、メモリ部２５に記録するための部分である。このデジタルＴＶ受信制御部２４は、ＣＰＵ等から成り、メモリ部２５に含まれるプログラムを実行することで、各種処理を実現する。
【００３１】
図２に、デジタルＴＶ受信制御部２４が実現する処理をブロック構成で示す。なお、この図に示す通り、メモリ部２５は、不揮発性のＮＶＲＡＭ２５１、揮発性のＲＡＭ２５２、および不揮発性のプログラムメモリ２５３という、いずれも書き換え可能なメモリを有している。デジタルＴＶ受信制御部２４は、アクティブモード情報管理処理２４１、取得予定付加データリスト記憶処理２４２、付加データ取得処理２４３、および付加データ取得制御処理２４４のためのプログラムを、それぞれプログラムメモリ２５３から読み出して並列的に（すなわちマルチタスク的に）実行する。そしてこれら処理２４１〜２４４間では、メモリ部２５へのデータの書き込みおよび読み出しを介したデータの受け渡しが行われるようになっている。
【００３２】
アクティブモード情報管理処理２４１において、デジタルＴＶ受信制御部２４は、システムコントロール部１１から、モード切替スイッチ２からの信号に基づく情報、すなわち、現在システムコントロール部１１が、ディスプレイ３およびスピーカ４に出力する映像および音声の信号のソースとして、デジタルＴＶ受信部１２、オーディオヘッドユニット部１３、カーナビゲーション部１４のうちいずれを選んでいるかの信号に基づいて、デジタルＴＶの受信および表示の機能（以下、デジタルＴＶ機能という）がアクティブであるか否かの情報、すなわち、デジタルＴＶ受信部１２がシステムコントロール部１１によって選択されているか否かのデータを、付加データ取得制御処理２４４に渡す。
【００３３】
取得予定付加データリスト記憶処理２４２において、デジタルＴＶ受信制御部２４は、ＴＳ復調部２２から送られてくる付加データのうちの、ダウンロード可能な付加データを特定するダウンロード告知情報に基づき、取得予定付加データリストを作成する。例えば、ダウンロード告知情報に、デジタルＴＶ受信制御部２４のための新しいプログラムや放送局のロゴデータが記録されているときは、それを取得予定付加データリストに追加する。このとき、特定の付加データについてのダウンロード可能時刻やダウンロード可能チャネルが指定されている場合は、その指定も当該付加データと対応づけて取得予定付加データリストに記録する。なお、この取得予定付加データリストは、ＮＶＲＡＭ２５１に記録する。
【００３４】
また取得予定付加データリスト記憶処理２４２の処理において、デジタルＴＶ受信制御部２４は、カーナビゲーション部１４が出力した、自車両が隣り合う同一放送局エリアの境界を跨いだ旨のデータを、システムコントロール部１１を介して受信すると、その新しく入った同一放送局エリアのチャネルリストなどの、新たな同一放送局エリアに関する付加データをダウンロードリストに加えてもよい。また、また取得予定付加データリスト記憶処理２４２の処理において、デジタルＴＶ受信制御部２４は、ユーザによる、図示しない入力装置を用いた指示（例えばチャネルスキャンの予約、ロゴデータの更新など）に基づき、取得予定付加データリストにその指定の対象となる付加データを追加する機能を付加してもよい。
【００３５】
付加データ取得処理２４３において、デジタルＴＶ受信制御部２４は、付加データ取得制御処理２４４から受けたダウンロード指示データに含まれる付加データを、ＴＳ復調部２２から受け、さらに受けた付加データをメモリ部２５中の適切な記憶媒体に蓄積する。適切な記憶媒体としては、例えば、ロゴデータならＮＶＲＡＭ２５１、チャネルリストならＲＡＭ２５２、新しいプログラムならプログラムメモリ２５３がある。なお、付加データ取得処理２４３の処理において、付加データのダウンロードのために受信チャネルを変更する必要がある場合、デジタルＴＶ受信制御部２４は、ＴＳ復調部２２を制御して受信チャネルを変更させる。
【００３６】
付加データ取得制御処理２４４において、デジタルＴＶ受信制御部２４は、アクティブモード情報管理処理２４１から渡されたデータ、取得予定付加データリスト記憶処理２４２が記録した取得予定付加データリスト、システムコントロール部１１から受ける車速パルスデータ等に基づいて、付加データを受信・蓄積（すなわちダウンロード）する、しないの判定、およびダウンロードする旨の判定に基づく付加データ取得処理２４３へのダウンロード指示を行う。この処理のためにデジタルＴＶ受信制御部２４は、図３に示す付加データ取得制御プログラム１００を繰り返し実行するようになっている。
【００３７】
この付加データ取得制御プログラム１００の実行において、デジタルＴＶ受信制御部２４は、まずステップ１０５において、アクティブモード情報管理処理２４１から渡されたデータに基づいて、デジタルＴＶ機能が現在アクティブであるか否かを判定し、アクティブである場合、再度ステップ１０５を実行し、アクティブでない場合、続いてステップ１０８を実行する。
【００３８】
ステップ１０８では、システムコントロール部１１から受けた車速パルスのデータに基づいて、自車両が走行中か否か、すなわち車速が実質的にゼロより大きいか否かを判定し、走行中であれば続いてステップ１１０を実行し、走行中でなければ続いてステップ１０５を実行する。
【００３９】
ステップ１１０では、付加データのダウンロードに関するユーザ設定情報を、ＮＶＲＡＭ２５１から読み出す。このユーザ設定情報は、デジタルＴＶ受信制御部２４が、所定のプログラムを実行することで、図示しない入力装置を用いたユーザの入力に従って、ＮＶＲＡＭ２５１に記録したデータである。このデータの内容は、番組表データを他の付加データよりも優先的にダウンロードするか否か、番組表データ以外の付加データのダウンロード優先順位、隣り合う同一放送局エリアの境界を跨いだときにチャネルリストをダウンロードしてチャネルの再スキャンを行うか否か、番組表の取得完了条件（すなわち何日分ダウンロードすればダウンロード完了と判定するか）、ダウンロードインターバル（例えば２時間）等である。
【００４０】
続いてステップ１１５で、読み出したユーザ設定情報において、番組表データのダウンロードが他より優先されているか否かを判定し、優先されていれば、続いてステップ１２０を実行し、優先されていなければ続いてステップ１３０を実行する。
【００４１】
ステップ１２０では、現在のＮＶＲＡＭ２５１中の番組表データの量が、ユーザ設定情報に記載の取得完了条件を満たしているか否か、すなわち、番組表の取得が終わっているか否かを判定し、終わっていると判定すれば続いてステップ１２５を実行し、終わっていないと判定すれば続いてステップ１３０を実行する。
【００４２】
ステップ１２５では、番組表を、ユーザ設定情報に記載の取得完了条件が満たされるまで、ダウンロードするよう、付加データ取得処理２４３に指令のデータを渡し、付加データ取得処理２４３によるダウンロードが終了すれば、続いてステップ１３０を実行する。
【００４３】
ステップ１３０では、ＮＶＲＡＭ２５１中に記録された取得予定付加データリスト中に付加データの記載があるか否か、すなわち、取得可能な付加データがあるか否かを判定し、あれば続いてステップ１３５を実行し、なければ続いてステップ１６０を実行する。
【００４４】
ステップ１３５では、取得予定付加データリスト中に複数の付加データが記載されているか否かを判定し、複数あれば、続いてステップ１４０を実行し、１つだけ記載されているなら、その１つをダウンロード対象とし、続いてステップ１５０を実行する。
【００４５】
ステップ１４０では、ユーザ設定情報に記載の付加データ間のダウンロード優先順位を読み出し、続いてステップ１４５では、読み出したダウンロード優先順位に基づいて、現在の取得予定付加データリスト中の、最も優先順位の高い付加データを、ダウンロード対象の付加データとして特定し、続いてステップ１５０を実行する。
【００４６】
ステップ１５０では、ダウンロード対象として特定された付加データのダウンロードをするよう、付加データ取得処理２４３に指令のデータを渡し、付加データ取得処理２４３によるダウンロードが終了すれば、続いてステップ１５５を実行する。ステップ１５５では、取得予定付加データリストから、直前のステップ１５０によってダウンロードした付加データの記載を消去し、その後再度ステップ１３０を実行する。なお、ユーザ設定情報中に、チャネルリストをダウンロードしない旨の記載がある場合、取得予定付加データリストからチャネルリストの記載を削除する。
【００４７】
このようなステップ１３０〜１５５の繰り返しにより、取得予定付加データリスト中の、ユーザ設定情報にダウンロードしない旨が記載された付加データを除くすべての付加データのダウンロードが順次行われることになる。
【００４８】
取得予定付加データリスト中の付加データのダウンロードが終了した後のステップ１６０では、ステップ１２０と同様に、番組表の取得が終わっているか否かを判定し、終わっていなければ続いてステップ１６５を実行し、終わっていれば続いてステップ１７０を実行する。ステップ１６５では、ステップ１２５と同等の処理で、番組表のダウンロードのための処理を行い、その後ステップ１７０を実行する。
【００４９】
ステップ１７０では、タイマのカウントをゼロ秒から開始し、続いてステップ１７５でそのタイマが規定時間、すなわちユーザ設定情報に記載のダウンロードインターバルが経過するまで待ち、経過すると、再度ステップ１１０を実行する。
【００５０】
なお、デジタルＴＶ受信制御部２４は、付加データのダウンロード中に、デジタルＴＶ機能が非アクティブからアクティブに遷移した旨の情報を、システムコントロール部１１から受けた場合、現在実行中のダウンロードを中止して、付加データ取得制御プログラム１００の実行を終了する。
【００５１】
以上のような付加データ取得制御プログラム１００をデジタルＴＶ受信制御部２４が実行することで、デジタルＴＶ受信部１２は、その作動中に（すなわちＡＣＣオンであるときに）、デジタルＴＶ機能が非アクティブであり（ステップ１０５参照）、かつ、自車両が走行中であるがゆえに走行規制がかかっている場合（ステップ１０８参照）、繰り返し定期的に（ステップ１７０、１７５参照）、取得予定付加データリスト中の付加データ（主に番組視聴と共にダウンロードできない付加データ）を（ステップ１３０参照）、ダウンロードに関するユーザの設定に基づいた順序で（ステップ１３５、１４０、１４５参照）、すべて（ステップ１５５参照）ダウンロードする（ステップ１５０、付加データ取得処理２４３参照）。
【００５２】
また、デジタルＴＶ受信部１２は、ダウンロードに関するユーザの設定に基づいて（ステップ１１０参照）、取得予定付加データリスト中の付加データのダウンロードの前または後に、まず番組表データをダウンロードする（ステップ１１５〜１２５、１６０、１７０参照）。
【００５３】
このように、デジタルＴＶ受信部１２が、車両の主電源から電力供給を受けているときに、番組コンテンツを受信して表示制御を行う機能が果たされていない（すなわち結果として乗員に当該番組コンテンツの内容が提示されていない）状態であることに基づいて、付加データをダウンロードすることで、車両の主電源がオンの状態において、番組コンテンツの視聴の邪魔にならないよう、付加データを受信することができる。
【００５４】
そして、番組コンテンツを受信して表示制御を行う機能が果たされていない状態として、“車両が走行しており、かつ、表示装置における番組コンテンツ受信表示制御によるものでない表示（すなわちオーディオヘッドユニット部１３やカーナビゲーション部１４による表示）が行われているという状態”に起因して番組コンテンツの受信表示制御機能が阻害されているタイミングを積極的に用いることで、番組コンテンツの視聴の邪魔にならないよう、付加データを受信することができる。
【００５５】
このように、家庭用のデジタル放送受信装置ならばスタンバイ時間に行う処理が、走行中に行われるようになっていることで、車両側からの電力供給がありなおかつデジタルＴＶの受信および表示制御が行われていないタイミングが擬似スタンバイ時間とみなされたような処理が行われることになる。
（他の実施形態）
以上、本発明の実施形態について説明したが、本発明の範囲は、上記実施形態のみに限定されるものではなく、本発明の各発明特定事項の機能を実現し得る種々の形態を包含するものである。
【００５６】
例えば、本発明の車載デジタル放送受信装置は、デジタル放送を受信するようになっていればよく、デジタル放送としては、地上デジタルＴＶ放送に限らず、他のデジタルＴＶ放送であってもよいし、デジタルラジオ放送であってもよい。
【００５７】
また、デジタルＴＶ受信制御部２４は、付加データ取得制御処理２４４において、ステップ１０５およびステップ１０８のうち、いずれか一方を実行しないようにしてもよい。例えば、デジタルＴＶがアクティブでないことのみに基づいて、付加データをダウンロードしてもよい。この場合、車両のＡＣＣがオンとなった直後のＴＶ機能の非アクティブ状態時、およびＴＶ機能がアクティブから非アクティブ状態に遷移した場合に、付加データのダウンロードが始まることになる。また、車両が走行していることのみに基づいて、付加データをダウンロードしてもよい。
【００５８】
なお、デジタルＴＶ受信部１２は、車両のＩＧがオンとなったときにのみ作動するようになっていてもよい。すなわち、デジタルＴＶ受信部１２は、車両の主電源のオン（例えばＩＧオンやＡＣＣオン）の状態において、付加データのダウンロードをするようになっていればよい。
【００５９】
また、デジタルＴＶ受信部１２は、上記実施形態のように、システムコントロール部１１によってオーディオヘッドユニット部１３およびカーナビゲーション部１４と統合的に管理されるようになっておらずともよい。例えば、システムコントロール部１１が存在せず、デジタルＴＶ受信部１２、およびオーディオヘッドユニット部１３が互いに通信し、どちらの映像・音声信号がディスプレイ３およびスピーカ４に出力されているかの情報をやりとりすることができれば、デジタルＴＶ受信部１２は、その情報に基づいて付加データのダウンロードの実行・非実行を判定することができる。
【００６０】
また、表示装置に番組コンテンツ受信表示制御によるものでない表示としては、上記実施形態のようなものに限らず、例えば、過去に録画されたテレビ番組の再生画像および音声のディスプレイ３およびスピーカ４への表示であってもよい。
【００６１】
また、デジタルＴＶ受信部１２が付加データをダウンロードする起因となる、番組コンテンツを受信して表示制御を行う機能が果たされていない状態としては、ディスプレイ３の表示機能がユーザ操作によってオフとなった状態であってもよい。
【００６２】
また、付加データは、上記のものに限らず、番組コンテンツデータ以外のデータであれば足りる。
【００６３】
また、ユーザ設定情報において、番組表のダウンロードについても、他の付加データのダウンロードと同様の形式で、優先順位が付与されるようになっていてもよい。
【００６４】
また、デジタルＴＶ受信制御部２４は、上述したような機能を実現する１つの回路（例えばＦＰＧＡ等の回路構成がプログラム可能な回路）として実現されていてもよいし、アクティブモード情報管理処理２４１の機能を実現する回路、取得予定付加データリスト記憶処理２４２の機能を実現する回路、付加データ取得処理２４３の機能を実現する回路、および付加データ取得制御処理２４４の機能を実現する回路を有するようになっていてもよい。
【００６５】
また、デジタルＴＶ受信制御部２４自体がメモリを有するマイコンになっていて、取得予定付加データリスト記憶処理２４２は、そのマイコン中のメモリに取得予定付加データリストを記録するようになっていてもよい。
【図面の簡単な説明】
【００６６】
【図１】車載複合システム１の構成等を示すブロック図である。
【図２】デジタルＴＶ受信制御部２４の処理内容の構成を示すブロック図である。
【図３】付加データ取得処理２４３の実現のためにデジタルＴＶ受信制御部２４のＣＰＵが実行する付加データ取得制御プログラム１００のフローチャートである。
【符号の説明】
【００６７】
１…車載複合システム、２…モード切替スイッチ、３…ディスプレイ、４…スピーカ、
５…車両信号検出部、１１…システムコントロール部、１２…デジタルＴＶ受信部、
１３…オーディオヘッドユニット部、１４…カーナビゲーション部、１５…アンテナ、
２１…チューナ部、２２…ＴＳ復調部、２３…映像／音声出力部、
２４…デジタルＴＶ受信制御部、２５…メモリ部、４１…カーナビゲーション制御部、
４２…自車位置検出部、４３…地図情報記憶部、
１００…付加データ取得制御プログラム、２４１…アクティブモード情報管理処理、
２４２…取得予定付加データリスト記憶処理、２４３…付加データ取得処理、
２４４…付加データ取得制御処理、２５１…ＮＶＲＡＭ、２５２…ＲＡＭ、
２５３…プログラムメモリ。
【図１】
2006340291.tif 000003
【図２】
2006340291.tif 000004
【図３】
2006340291.tif 000005